(57)【要約】【課題】  紙詰まりが発生した場合に再印刷を行うことができ、かつ高速に印刷を行うことができる画像形成装置を提供する。【解決手段】  画像データを取得する画像データ取得部１４と、画像データを一時的に記憶する画像データ記憶部１５と、画像形成する際に画像データを記憶するビデオ記憶部１２と、リトライデータを記憶するリトライデータ記憶部１７と、リトライデータ記憶部１７の空き容量をチェックする空き容量監視部２０と、十分な空き容量がリトライデータ記憶部１７にある場合にはリトライデータ記憶場所にリトライデータ記憶部１７を選択し、十分な空き容量がリトライデータ記憶部１７にない場合にはリトライデータ記憶場所に画像データ記憶部１５を選択するリトライデータ保持場所決定部１９と、リトライデータ記憶部１７が選択された場合には画像データをリトライデータ記憶部１７に転送するリトライデータ転送制御部１６とを複合機１に備える。【選択図】  図１
2006263966.tif 000002
【特許請求の範囲】
【請求項１】
記録紙に形成する画像のデータを取得するデータ取得手段と、
前記データ取得手段により取得された画像データを一時的に記憶する画像データ記憶手段と、
前記画像データ記憶手段に記憶されている画像データを画像形成する際のバッファとして、この画像データを前記画像データ記憶手段から転送されて記憶するビデオ記憶手段と、
前記画像形成のリトライのためのバックアップであるリトライデータを記憶する不揮発性のリトライデータ記憶手段と、
前記画像データ記憶手段から前記ビデオ記憶手段に転送された画像データを前記リトライデータとして、前記画像データ記憶手段から前記リトライデータ記憶手段に転送する転送手段と、
前記リトライデータ記憶手段の空き容量をチェックする空き容量監視手段と、
前記データ記憶手段に記憶されている画像データを画像形成のために前記ビデオ記憶手段に転送するときに、この転送データを書き込むための十分な空き容量が前記リトライデータ記憶手段にあることが前記空き容量監視手段により示された場合には、リトライデータの記憶場所に前記リトライデータ記憶手段を選択し、この転送データを書き込むための十分な空き容量が前記リトライデータ記憶手段にないことが前記空き容量監視手段により示された場合には、リトライデータの記憶場所に前記画像データ記憶手段を選択することを決定するリトライデータ保持場所決定手段と
を備え、
前記転送手段は、前記リトライデータ保持場所決定手段がリトライデータの記憶場所に前記リトライデータ記憶手段を選択した場合に、前記画像データをリトライデータとして前記画像データ記憶手段から前記リトライデータ記憶手段に転送する画像形成装置。
【請求項２】
記録紙に形成する画像のデータを取得するデータ取得手段と、
前記データ取得手段により取得された画像データを一時的に記憶する画像データ記憶手段と、
前記画像データ記憶手段に記憶されている画像データを画像形成する際のバッファとして、この画像データを前記画像データ記憶手段から転送されて記憶するビデオ記憶手段と、
前記画像形成のリトライのためのバックアップであるリトライデータを記憶する不揮発性のリトライデータ記憶手段と、
前記画像データ記憶手段から前記ビデオ記憶手段に転送された画像データを前記リトライデータとして、前記画像データ記憶手段から前記リトライデータ記憶手段に転送する転送手段と、
前記画像データ記憶手段から前記リトライデータ記憶手段への画像データの転送の経過状況を監視する転送状況監視手段と、
前記データ記憶手段に記憶されている画像データを画像形成のために前記ビデオ記憶手段に転送するときに、前に開始された前記画像データ記憶手段から前記リトライデータ記憶手段への画像データの転送が完了していることが前記転送状況監視手段により示された場合には、リトライデータの記憶場所に前記リトライデータ記憶手段を選択し、前に開始された前記画像データ記憶手段から前記リトライデータ記憶手段への画像データの転送が完了していないことが前記転送状況監視手段により示された場合には、リトライデータの記憶場所に前記画像データ記憶手段を選択することを決定するリトライデータ保持場所決定手段と
を備え、
前記転送手段は、前記リトライデータ保持場所決定手段がリトライデータの記憶場所に前記リトライデータ記憶手段を選択した場合には、前記画像データをリトライデータとして前記画像データ記憶手段から前記リトライデータ記憶手段に転送する画像形成装置。
【請求項３】
記録紙に形成する画像のデータを取得するデータ取得手段と、
前記データ取得手段により取得された画像データを一時的に記憶する画像データ記憶手段と、
前記画像データ記憶手段に記憶されている画像データを画像形成する際のバッファとして、この画像データを前記画像データ記憶手段から転送されて記憶するビデオ記憶手段と、
前記画像形成のリトライのためのバックアップであるリトライデータを記憶する不揮発性のリトライデータ記憶手段と、
前記画像データ記憶手段から前記ビデオ記憶手段に転送された画像データを前記リトライデータとして、前記画像データ記憶手段から前記リトライデータ記憶手段に転送する転送手段と、
前記リトライデータ記憶手段の空き容量をチェックする空き容量監視手段と、
前記画像データ記憶手段から前記リトライデータ記憶手段への画像データの転送の経過状況を監視する転送状況監視手段と、
前記データ記憶手段に記憶されている画像データを画像形成のために前記ビデオ記憶手段に転送するときに、この転送データを書き込むための十分な空き容量が前記リトライデータ記憶手段にあることが前記空き容量監視手段により示され、かつ、前に開始された前記画像データ記憶手段から前記リトライデータ記憶手段への画像データの転送が完了していることが前記転送状況監視手段により示された場合には、リトライデータの記憶場所に前記リトライデータ記憶手段を選択し、上記以外の場合には、リトライデータの記憶場所に前記画像データ記憶手段を選択することを決定するリトライデータ保持場所決定手段と
を備え、
前記転送手段は、前記リトライデータ保持場所決定手段がリトライデータの記憶場所に前記リトライデータ記憶手段を選択した場合には、前記画像データをリトライデータとして前記画像データ記憶手段から前記リトライデータ記憶手段に転送する画像形成装置。
【請求項４】
前記リトライデータ保持場所決定手段がリトライデータの記憶場所に前記リトライデータ記憶手段を選択した場合には、リトライデータが前記リトライデータ記憶手段に記憶されていることを記憶し、前記リトライデータ保持場所決定手段がリトライデータの記憶場所に前記画像データ記憶手段を選択した場合には、リトライデータが前記画像データ記憶手段に記憶されていることを記憶するリトライデータ保持場所記憶手段と、
画像形成のリトライを行う場合に、前記リトライデータ保持場所記憶手段に記憶されているリトライデータの記憶場所からリトライデータを前記ビデオ記憶手段に転送するリトライ転送手段と
を更に備える請求項１〜３のいずれかに記載の画像形成装置。
【発明の詳細な説明】
【技術分野】
【０００１】
本発明は、装置内において記録紙の紙詰まりが発生した場合等にその記録紙についての再印刷を行う機構を備える画像形成装置に関する。
【背景技術】
【０００２】
従来、プリンタ、複写機、複合機等の画像形成装置において、記録紙の紙詰まりが発生した場合等に記録紙が正常に出力できなかったページについて再印刷（リトライ）を行うものがある。このような画像形成装置においては、再印刷を行うための画像データ（リトライデータ）を記録紙が正常に出力されるまで保存しておく必要がある。このリトライデータは、印刷が開始された以降（画像データがＶＲＡＭ（ビデオ・ランダム・アクセス・メモリ）に転送された以降）も印刷前の画像データを保存するのと同じＤＲＡＭ（ダイナミック・ランダム・アクセス・メモリ）に保存される。
【０００３】
下記特許文献１には、紙詰まりが発生した場合にリトライを行うモードと、リトライを行わないモードとを備え、ユーザがリトライを行わないモードを選択した場合には、リトライデータを保存しない印刷装置が記載されている。
【特許文献１】特開２００４−８２４０１号公報
【発明の開示】
【発明が解決しようとする課題】
【０００４】
しかしながら、リトライデータをＤＲＡＭに保存しておくことは後続印刷ページ処理用のＤＲＡＭ領域が削減されることとなり、効率的な処理ができず、高速な印刷の妨げとなる。また、上記特許文献１の技術のように、リトライしない設定を設け、リトライしない設定に切り替えた場合にはリトライデータの保存にＤＲＡＭ領域が使用されることがないので高速な印刷が行えるが、紙詰まり発生時にユーザがＰＣ（パーソナルコンピュータ）等から再印刷の指示を行う必要があり、利便性が損なわれると共に、ユーザが既に正常に印刷された最初のページから再印刷を行った場合には、記録紙の浪費を招いてしまう。
【０００５】
本発明は、上記問題点に鑑みて成されたもので、紙詰まりが発生した場合に再印刷を行うことができ、かつ高速に印刷を行うことができる画像形成装置を提供することを目的とする。
【課題を解決するための手段】
【０００６】
請求項１に係る画像形成装置は、記録紙に形成する画像のデータを取得するデータ取得手段と、前記データ取得手段により取得された画像データを一時的に記憶する画像データ記憶手段と、前記画像データ記憶手段に記憶されている画像データを画像形成する際のバッファとして、この画像データを前記画像データ記憶手段から転送されて記憶するビデオ記憶手段と、前記画像形成のリトライのためのバックアップであるリトライデータを記憶する不揮発性のリトライデータ記憶手段と、前記画像データ記憶手段から前記ビデオ記憶手段に転送された画像データを前記リトライデータとして、前記画像データ記憶手段から前記リトライデータ記憶手段に転送する転送手段と、前記リトライデータ記憶手段の空き容量をチェックする空き容量監視手段と、前記データ記憶手段に記憶されている画像データを画像形成のために前記ビデオ記憶手段に転送するときに、この転送データを書き込むための十分な空き容量が前記リトライデータ記憶手段にあることが前記空き容量監視手段により示された場合には、リトライデータの記憶場所に前記リトライデータ記憶手段を選択し、この転送データを書き込むための十分な空き容量が前記リトライデータ記憶手段にないことが前記空き容量監視手段により示された場合には、リトライデータの記憶場所に前記画像データ記憶手段を選択することを決定するリトライデータ保持場所決定手段とを備え、前記転送手段は、前記リトライデータ保持場所決定手段がリトライデータの記憶場所に前記リトライデータ記憶手段を選択した場合に、前記画像データをリトライデータとして前記画像データ記憶手段から前記リトライデータ記憶手段に転送するものである。
【０００７】
この構成によれば、データ取得手段により取得された画像データが画像データ記憶手段に記憶され、この画像データが画像データ記憶手段からビデオ記憶手段に転送されるときに、この転送データを書き込むための十分な空き容量がリトライデータ記憶手段にあることが空き容量監視手段により示された場合には、リトライデータ保持場所決定手段によりリトライデータの記憶場所にリトライデータ記憶手段が選択され、この転送データを書き込むための十分な空き容量がリトライデータ記憶手段にないことが空き容量監視手段により示された場合には、リトライデータ保持場所決定手段によりリトライデータの記憶場所に画像データ記憶手段が選択される。そして、リトライデータの記憶場所にリトライデータ記憶手段が選択された場合には、画像データが転送手段により画像データ記憶手段からリトライデータ記憶手段に転送される。
【０００８】
請求項２に係る画像形成装置は、記録紙に形成する画像のデータを取得するデータ取得手段と、前記データ取得手段により取得された画像データを一時的に記憶する画像データ記憶手段と、前記画像データ記憶手段に記憶されている画像データを画像形成する際のバッファとして、この画像データを前記画像データ記憶手段から転送されて記憶するビデオ記憶手段と、前記画像形成のリトライのためのバックアップであるリトライデータを記憶する不揮発性のリトライデータ記憶手段と、前記画像データ記憶手段から前記ビデオ記憶手段に転送された画像データを前記リトライデータとして、前記画像データ記憶手段から前記リトライデータ記憶手段に転送する転送手段と、前記画像データ記憶手段から前記リトライデータ記憶手段への画像データの転送の経過状況を監視する転送状況監視手段と、前記データ記憶手段に記憶されている画像データを画像形成のために前記ビデオ記憶手段に転送するときに、前に開始された前記画像データ記憶手段から前記リトライデータ記憶手段への画像データの転送が完了していることが前記転送状況監視手段により示された場合には、リトライデータの記憶場所に前記リトライデータ記憶手段を選択し、前に開始された前記画像データ記憶手段から前記リトライデータ記憶手段への画像データの転送が完了していないことが前記転送状況監視手段により示された場合には、リトライデータの記憶場所に前記画像データ記憶手段を選択することを決定するリトライデータ保持場所決定手段とを備え、前記転送手段は、前記リトライデータ保持場所決定手段がリトライデータの記憶場所に前記リトライデータ記憶手段を選択した場合には、前記画像データをリトライデータとして前記画像データ記憶手段から前記リトライデータ記憶手段に転送するものである。
【０００９】
この構成によれば、データ取得手段により取得された画像データが画像データ記憶手段に記憶され、この画像データが画像データ記憶手段からビデオ記憶手段に転送されるときに、前に開始された画像データ記憶手段からリトライデータ記憶手段への画像データの転送が完了していることが転送状況監視手段により示された場合には、リトライデータ保持場所決定手段によりリトライデータの記憶場所にリトライデータ記憶手段が選択され、前に開始された画像データ記憶手段からリトライデータ記憶手段への画像データの転送が完了していないことが転送状況監視手段により示された場合には、リトライデータ保持場所決定手段によりリトライデータの記憶場所に画像データ記憶手段が選択される。そして、リトライデータの記憶場所にリトライデータ記憶手段が選択された場合には、画像データが転送手段により画像データ記憶手段からリトライデータ記憶手段に転送される。
【００１０】
つまり、リトライデータの記憶場所に画像データ記憶手段が選択された場合には、画像データ記憶手段からビデオ記憶手段に転送された画像データは、画像データ記憶手段から消去されずにリトライデータとして残され、リトライデータ記憶場所にリトライデータ記憶手段が選択された場合には、画像データ記憶手段からビデオ記憶手段に転送された画像データは、画像データ記憶手段からリトライデータ記憶手段にも転送され、画像データ記憶手段からは消去される。
【００１１】
請求項３に係る画像形成装置は、記録紙に形成する画像のデータを取得するデータ取得手段と、前記データ取得手段により取得された画像データを一時的に記憶する画像データ記憶手段と、前記画像データ記憶手段に記憶されている画像データを画像形成する際のバッファとして、この画像データを前記画像データ記憶手段から転送されて記憶するビデオ記憶手段と、前記画像形成のリトライのためのバックアップであるリトライデータを記憶する不揮発性のリトライデータ記憶手段と、前記画像データ記憶手段から前記ビデオ記憶手段に転送された画像データを前記リトライデータとして、前記画像データ記憶手段から前記リトライデータ記憶手段に転送する転送手段と、前記リトライデータ記憶手段の空き容量をチェックする空き容量監視手段と、前記画像データ記憶手段から前記リトライデータ記憶手段への画像データの転送の経過状況を監視する転送状況監視手段と、前記データ記憶手段に記憶されている画像データを画像形成のために前記ビデオ記憶手段に転送するときに、この転送データを書き込むための十分な空き容量が前記リトライデータ記憶手段にあることが前記空き容量監視手段により示され、かつ、前に開始された前記画像データ記憶手段から前記リトライデータ記憶手段への画像データの転送が完了していることが前記転送状況監視手段により示された場合には、リトライデータの記憶場所に前記リトライデータ記憶手段を選択し、上記以外の場合には、リトライデータの記憶場所に前記画像データ記憶手段を選択することを決定するリトライデータ保持場所決定手段とを備え、前記転送手段は、前記リトライデータ保持場所決定手段がリトライデータの記憶場所に前記リトライデータ記憶手段を選択した場合には、前記画像データをリトライデータとして前記画像データ記憶手段から前記リトライデータ記憶手段に転送するものである。
【００１２】
この構成によれば、データ取得手段により取得された画像データが画像データ記憶手段に記憶され、この画像データが画像データ記憶手段からビデオ記憶手段に転送されるときに、この転送データを書き込むための十分な空き容量が前記リトライデータ記憶手段にあることが前記空き容量監視手段により示され、かつ、前に開始された前記画像データ記憶手段から前記リトライデータ記憶手段への画像データの転送が完了していることが前記転送状況監視手段により示された場合には、リトライデータ保持場所決定手段によりリトライデータの記憶場所にリトライデータ記憶手段が選択され、上記以外の場合には、リトライデータ保持場所決定手段によりリトライデータの記憶場所に画像データ記憶手段が選択される。そして、リトライデータの記憶場所にリトライデータ記憶手段が選択された場合には、画像データが転送手段により画像データ記憶手段からリトライデータ記憶手段に転送される。
【００１３】
請求項４に係る画像形成装置は、請求項１〜３のいずれかに記載の画像形成装置であって、前記リトライデータ保持場所決定手段がリトライデータの記憶場所に前記リトライデータ記憶手段を選択した場合には、リトライデータが前記リトライデータ記憶手段に記憶されていることを記憶し、前記リトライデータ保持場所決定手段がリトライデータの記憶場所に前記画像データ記憶手段を選択した場合には、リトライデータが前記画像データ記憶手段に記憶されていることを記憶するリトライデータ保持場所記憶手段と、画像形成のリトライを行う場合に、前記リトライデータ保持場所記憶手段に記憶されているリトライデータの記憶場所からリトライデータを前記ビデオ記憶手段に転送するリトライ転送手段とを更に備えるものである。
【発明の効果】
【００１４】
請求項１に記載の発明によれば、リトライデータが記憶されているため、画像形成のリトライを行うことができると共に、リトライデータ記憶部に空き容量が十分なくリトライデータをリトライデータ記憶部に記憶できない場合にのみ画像データ記憶部にリトライデータが記憶されるので、画像形成処理により多くの画像データ記憶部を用いることができ、より高速に印刷することができる。また、リトライデータ記憶部に空き容量がない場合にはリトライデータを画像データ記憶部に記憶することで、リトライデータを保持することができるので、確実に画像形成のリトライを行うことができる。
【００１５】
請求項２に記載の発明によれば、リトライデータが記憶されているため、画像形成のリトライを行うことができると共に、前のリトライデータの画像データ記憶部からリトライデータ記憶部への転送が完了していない場合にのみ画像データ記憶部にリトライデータが記憶されるので、画像形成処理により多くの画像データ記憶部を用いることができ、より高速に印刷することができる。また、前のリトライデータの画像データ記憶部からリトライデータ記憶部への転送が完了していない場合にはリトライデータを画像データ記憶部に記憶する、すなわち転送を行わないことで、前のリトライデータのリトライデータ記憶手段への転送完了を待つ必要がないので、より高速に画像形成を行うことができる。
【００１６】
請求項３に記載の発明によれば、請求項１の奏する効果、及び請求項２の奏する効果を合わせ持つ画像形成装置を提供することができる。また、リトライデータがリトライデータ記憶手段へ転送中であること、及びリトライデータ記憶手段に十分な空き容量がないことのいずれか一方が判別された時点で他方をチェックすることなく次のリトライデータの転送を行わない（画像データ記憶手段にリトライデータを記憶する）ことを決定できる。
【００１７】
請求項４に記載の発明によれば、リトライデータ保持場所記憶手段にリトライデータが画像データ記憶手段かリトライデータ記憶手段のいずれに記憶されているかが記憶されているので、画像形成をリトライする場合に容易にリトライデータの記憶場所がわかる。
【発明を実施するための最良の形態】
【００１８】
以下、本発明に係る実施形態を図面に基づいて説明する。図１は、本発明の一実施形態に係る画像形成装置である複合機の機能構成を示すブロック図である。複合機１は、プリンタ機能、ファクシミリ機能、スキャナ機能等を備えたデジタル方式の複写機である。複合機１は、画像データ転送制御部１１、ビデオ記憶部１２、ビデオ出力部１３、画像データ取得部１４、画像データ記憶部１５、リトライデータ転送制御部１６、リトライデータ記憶部１７、転送状況監視部１８、リトライデータ保持場所決定部１９、空き容量監視部２０、リトライデータ保持場所記憶部２１、画像形成部２２、リトライデータ消去部２３、及びリトライ制御部２４を備える。
【００１９】
画像データ取得部１４は、プリンタ機能が用いられる場合には、複合機１にネットワーク等により接続されたＰＣ（パーソナルコンピュータ）等からプリントデータとして画像データを受信することにより画像データを取得し、複写機が用いられる場合には、原稿から画像を読み取り、画像データを取得する。画像データ取得部１４は、取得した画像データをビットマップデータで画像データ記憶部１５に書き込む。画像データ取得部１４は、例えばＰＤＬ（ページ記述言語）で記述された画像データを受信した場合には、ビットマップデータに変換して画像データ記憶部１５に書き込む。また、画像データ取得部１４は、取得した画像データに対し必要に応じて画像処理を行って画像データ記憶部１５に書き込む。画像処理等には画像データ記憶部１５内の領域を使用する。
【００２０】
画像データ記憶部１５は、画像データ取得部１４により取得された画像データをビットマップデータにより記憶するもので、例えばＤＲＡＭ（ダイナミック・ランダム・アクセス・メモリ）内の領域が使用される。画像データ記憶部１５は、画像処理等のワークエリアとしても使用される。
【００２１】
ビデオ記憶部１２は、画像形成（ビデオ出力）を行う画像データを画像形成（ビデオ出力）時にバッファとして格納するもので、例えば上記ＤＲＡＭの一部を用いて実装される。ペーパジャムが発生した場合には、ビデオ記憶部１２に記憶されている画像データについては保証されない。
【００２２】
ビデオ出力部１３は、画像形成のために画像データをビデオ信号として出力するものである。ビデオ出力部１３は、ビデオ記憶部１２内のデータをビデオ信号として出力する。ビデオ出力部１３はバンドごとに、ビデオ出力が終了した場合にその旨をリトライデータ消去部２３に送信する。
【００２３】
画像形成部２２は、ビデオ出力部１３からビデオ信号を受信して、そのビデオ信号に基づき画像を記録紙に形成するものである。
【００２４】
リトライデータ記憶部１７は、ペーパジャム（記録紙の紙詰まり）の発生時等に画像形成をリトライするための画像データ（リトライデータ：画像データ記憶部１５に記憶される画像データと同じものでバックアップ目的のためのもの）を記憶するものである。リトライデータ記憶部１７は、例えば不揮発性の大容量記憶装置、例えばＨＤＤ（ハード・ディスク・ドライブ）又はＣＦ（コンパクト・フラッシュ）等を用いて実装される。
【００２５】
リトライ制御部２４は、例えばペーパジャムが発生したことや、その後複合機１画正常状態に戻ったことをセンサ等により監視し、ペーパジャムが発生した後で複合機１が正常状態に戻ったときに、リトライ指示を画像データ転送制御部１１に送信する。
【００２６】
画像データ転送制御部１１は、画像形成を行う場合に画像データの画像データ記憶部１５からビデオ記憶部１２への転送を制御するものである。また、画像データ転送制御部１１は、リトライ制御部２４からリトライ指示を受信した場合に、画像形成のリトライを行うために画像データ記憶部１５又はリトライデータ記憶部１７からビデオ記憶部１２にリトライデータを転送する。この場合に、画像データ転送制御部１１は、リトライデータ保持場所記憶部２１（リトライデータ保持場所テーブル）に記憶されている全てのバンドの画像データについてテーブル先頭から順にリトライデータ保持場所を読み出しその場所（画像データ記憶部１５またはリトライデータ記憶部１７）から画像データをビデオ記憶部１２に転送するよう制御する。この場合、リトライデータ保持場所テーブルに記憶されている先頭のバンドが、ページの途中からのものである場合には、ページの途中から（リトライデータ保持場所テーブルに記憶されている先頭のバンドから）出力する。画像データ転送制御部１１は、リトライデータのビデオ記憶部１２への転送が終了した後は、画像データ記憶部１５に記憶されている、まだ、ビデオ記憶部１２へ転送されていない画像データ（リトライデータに続く画像データ）を画像データ記憶部１５からビデオ記憶部１２に転送する。
【００２７】
リトライデータ転送制御部１６は、画像データを画像データ記憶部１５からリトライデータ記憶部１７に転送するものである。リトライデータ転送制御部１６は、画像データを画像データ記憶部１５からビデオ記憶部１２に転送したことの通知をバンドごとに画像データ転送制御部１１から受け、この通知を受けるごとにリトライデータ保持場所決定部１９に当該バンドのリトライデータを記憶する場所（保持場所）を確認する。当該バンドのリトライデータを記憶する場所がリトライデータ記憶部１７である場合には、リトライデータ転送制御部１６は、画像データ記憶部１５からビデオ記憶部１２に転送された画像データを、画像データ記憶部１５からリトライデータ記憶部１７にも転送し、転送した場合には、画像データ記憶部１５内の当該画像データを消去する。
【００２８】
空き容量監視部２０は、リトライデータ記憶部１７の空き容量を監視するものである。空き容量監視部２０は、リトライデータ記憶部１７の総容量を記憶しておくと共に、リトライデータ記憶部１７に書き込まれたデータ量とリトライデータ記憶部１７から消去されたデータ量とを常時チェックし、現在を空き容量を把握する。
【００２９】
転送状況監視部１８は、リトライデータ転送制御部１６をチェックすることにより、画像データが画像データ記憶部１５からリトライデータ記憶部１７へ転送中であるか否かを把握する。
【００３０】
リトライデータ保持場所記憶部２１は、リトライデータが記憶されている場所（保持場所）の情報をリトライデータ保持場所テーブルとしてバンド単位に記憶するものである。図２に、リトライデータ保持場所テーブルの一例を示す。リトライデータ保持場所テーブルは、バンド番号とそのバンドのリトライデータ保持場所とを対応付けられて記憶するもので、リトライデータ保持場所決定部１９が、あるバンドについてリトライデータの保持場所を決定した場合に、リトライデータ保持場所決定部１９によりバンド番号とそのバンドのリトライデータ保持場所とが対応付けられた新たな行がリトライデータ保持場所テーブルの最後尾に付け加えられ、ビデオ出力が終了したバンドについては、リトライデータ消去部２３によりその行（先頭行）がリトライデータ保持場所テーブルから消去される。
【００３１】
リトライデータ保持場所決定部１９は、各バンドについてリトライデータ保持場所を決定するものである。リトライデータ保持場所決定部１９は、画像データが画像データ記憶部１５からリトライデータ記憶部１７に転送中であるか否かを転送状況監視部１８から取得し、これと共に、リトライデータ記憶部１７に１バンド分の画像データが書き込む空き容量があるか否かを空き容量監視部２０から取得する。１バンド分の画像データを書き込む空き容量がリトライデータ記憶部１７にあり、かつ、画像データが画像データ記憶部１５からリトライデータ記憶部１７に転送中でない場合には、リトライデータ保持場所決定部１９は、直前に画像データ記憶部１５からビデオ記憶部１２に転送されたバンドのリトライデータをリトライデータ記憶部１７に記憶するよう決定する。１バンド分の画像データを書き込む空き容量がリトライデータ記憶部１７にないか、又は、画像データが画像データ記憶部１５からリトライデータ記憶部１７に転送中である場合には、リトライデータ保持場所決定部１９は、直前に画像データ記憶部１５からビデオ記憶部１２に転送されたバンドのリトライデータを画像データ記憶部１５に記憶するよう決定する。
【００３２】
リトライデータ保持場所決定部１９は、決定した保持場所をリトライデータ転送制御部１６に送信する。そして、リトライデータ保持場所決定部１９は、保持場所を決定したバンドのバンド番号とその保持場所をリトライデータ保持場所記憶部２１のリトライデータ保持場所テーブルの最後尾に新たな行として書き込む。
【００３３】
リトライデータ消去部２３は、１バンド分のビデオ出力が終了するごとに、そのバンドのリトライデータ及びリトライデータ保持場所テーブルのそのバンドの行（先頭行）を消去するものである。リトライデータ消去部２３は、ビデオ出力部１３から１バンドに対するビデオ出力が終了したことを受信した場合に、リトライデータ保持場所記憶部２１に記憶されているリトライデータ保持場所テーブルの先頭行のバンド番号及びリトライデータ保持場所を読み出し、そのバンド番号のリトライデータをそのリトライデータ保持場所（画像データ記憶部１５又はリトライデータ記憶部１７）から消去する。そして、リトライデータ保持場所テーブルの先頭行を消去する。
【００３４】
次に、リトライデータの保持場所決定処理の流れについて説明する。図３は、リトライデータの保持場所決定処理の流れを示すフローチャートである。
【００３５】
ステップＳ１では、画像データ転送制御部１１は、画像データ記憶部１５内にビデオ記憶部１２に転送されていないバンドがあるか否かをチェックし、転送されていないバンドがある場合（ステップＳ１でＹＥＳ）には、ステップＳ２へ進む。
【００３６】
ステップＳ２では、画像データ転送制御部１１は、転送されていないバンドで副走査方向先頭にあるものをビデオ記憶部１２に転送する。そして、画像データ転送制御部１１は、ビデオ記憶部１２に対する画像データ（バンド）の転送を行った旨をリトライデータ転送制御部１６に送信する。
【００３７】
ステップＳ３では、リトライデータ保持場所決定部１９は、画像データ記憶部１５からリトライデータ記憶部１７へ転送中の画像データがあるか否かを転送状況監視部１８に問い合わせてチェックし、転送中の画像データがない場合、すなわち転送が完了している場合（ステップＳ３でＹＥＳ）には、ステップＳ４へ進む。
【００３８】
ステップＳ４では、リトライデータ保持場所決定部１９は、リトライデータ記憶部１７に１バンド分の空き容量があるか否かを空き容量監視部２０に問い合わせてチェックし、空き容量がある場合（ステップＳ４でＹＥＳ）には、ステップＳ５へ進む。
【００３９】
ステップＳ５では、リトライデータ転送制御部１６は、リトライデータ保持場所決定部１９からリトライデータの保持場所がリトライデータ記憶部１７である旨を取得し、これに基づき、ステップＳ２で転送されたバンドを画像データ記憶部１５からリトライデータ記憶部１７へ転送し、当該バンドの画像データを画像データ記憶部１５から消去する。
【００４０】
ステップＳ６では、リトライデータ保持場所決定部１９は、当該バンドのリトライデータの保持場所がリトライデータ記憶部１７であることをリトライデータ保持場所記憶部２１に書き込む。すなわち、リトライデータ保持場所記憶部２１のリトライデータ保持場所テーブルに当該バンドのバンド番号とリトライデータ保持場所をリトライデータ記憶部１７と書いた行を追加する。
【００４１】
ステップＳ３において、転送中の画像データがある場合、すなわち転送が完了していない場合（ステップＳ３でＮＯ）、及びステップＳ４において、空き容量がない場合（ステップＳ４でＮＯ）には、ステップＳ７へ進む。
【００４２】
ステップＳ７では、リトライデータ保持場所決定部１９は、当該バンドのリトライデータの保持場所が画像データ記憶部１５であることをリトライデータ保持場所記憶部２１に書き込む。すなわち、リトライデータ保持場所記憶部２１のリトライデータ保持場所テーブルに当該バンドのバンド番号とリトライデータ保持場所を画像データ記憶部１５と書いた行を追加する。
【００４３】
ステップＳ８では、ビデオ出力部１３は、ビデオ記憶部１２に格納されている画像データをビデオ信号として画像形成部２２に出力し、画像形成部２２はこのビデオ信号に基づき記録紙に画像を形成する。
【００４４】
ステップＳ９では、ビデオ出力部１３は、１バンド分のビデオ出力が完了するまで完了したか否かをチェックし（ステップＳ９でＮＯ）、１バンド分のビデオ出力が完了した場合（ステップＳ９でＹＥＳ）には、ステップＳ１０へ進む。
【００４５】
ステップＳ１０では、リトライデータ消去部２３は、リトライデータ保持場所記憶部２１の先頭行に記憶されているバンド番号のリトライデータを画像データ記憶部１５又はリトライデータ記憶部１７から消去し、リトライデータ保持場所記憶部２１の先頭行を消去する。
【００４６】
次に、画像形成のリトライ処理の流れを説明する。図４は、画像形成のリトライ処理の流れを示すフローチャートである。リトライ制御部２４は、例えば紙詰まりが解除されたことを検知した場合には、画像データ転送制御部１１にリトライ指示を送信する。
【００４７】
ステップＳ１１では、画像データ転送制御部１１は、リトライ制御部２４からリトライ指示があったか否かをチェックし、リトライ指示がない場合（ステップＳ１１でＮＯ）には、ステップＳ１１を繰り返す。リトライ指示があった場合（ステップＳ１１でＹＥＳ）には、ステップＳ１２へ進む。
【００４８】
ステップＳ１２では、画像データ転送制御部１１は、リトライデータ保持場所記憶部２１からリトライデータ保持場所テーブルの先頭行のバンド番号とリトライデータ保持場所を読み出す。
【００４９】
ステップＳ１３では、画像データ転送制御部１１は、リトライデータ保持場所記憶部２１から読み出したリトライデータ保持場所が画像データ記憶部かリトライデータ記憶部かをチェックし、画像データ記憶部である場合（ステップＳ１３で画像データ記憶部）には、ステップＳ１４へ進む。
【００５０】
ステップＳ１４では、画像データ転送制御部１１は、リトライデータ保持場所記憶部２１から読み出したバンド番号のリトライデータを画像データ記憶部１５からビデオ記憶部１２へ転送する。
【００５１】
ステップＳ１３において、リトライデータ保持場所がリトライデータ記憶部である場合（ステップＳ１３でリトライデータ記憶部）には、ステップＳ１５へ進む。
【００５２】
ステップＳ１５では、画像データ転送制御部１１は、リトライデータ保持場所記憶部２１から読み出したバンド番号のリトライデータをリトライデータ記憶部１７からビデオ記憶部１２へ転送する。
【００５３】
ステップＳ１６では、ビデオ出力部１３は、ビデオ記憶部１２内の画像データをビデオ出力する。
【００５４】
ステップＳ１７では、ビデオ出力部１３は、１バンド分のビデオ出力が完了するまで完了をチェックし（ステップＳ１７でＮＯ）、１バンド分のビデオ出力が完了した場合（ステップＳ１７でＹＥＳ）には、ステップＳ１８へ進む。
【００５５】
ステップＳ１８では、リトライデータ消去部２３は、リトライデータ保持場所記憶部２１の先頭行に記憶されているバンド番号のリトライデータを画像データ記憶部１５又はリトライデータ記憶部１７から消去し、リトライデータ保持場所記憶部２１の先頭行を消去する。
【００５６】
このように本実施形態においては、以前に開始したリトライデータ記憶部へのリトライデータの転送が完了しており、リトライデータ記憶部に空きがある場合には、リトライデータがリトライデータ記憶部１７に記憶されるため、画像処理等に対して画像データ記憶部の領域をより広く使用できるため、より高速に画像形成を行うことができる。
【００５７】
なお、本発明は、上記実施形態のものに限定されるものではなく、以下に述べる態様を採用することができる。上記実施形態においては、複合機を例にとり実施形態を説明したが、本発明が適用される画像形成装置は、例えばプリンタや、複写機、ファクシミリ装置等であってもよい。
【００５８】
上記実施形態においては、以前に開始したリトライデータ記憶部へのリトライデータの転送が完了しており、リトライデータ記憶部１７に空きがある場合に、リトライデータをリトライデータ記憶部１７に記憶し、それ以外の場合にはリトライデータを画像データ記憶部に記憶するようにしたが、以前に開始したリトライデータ記憶部へのリトライデータの転送が完了しているか否かだけをリトライデータの記憶場所の選択の判断基準にしたり、リトライデータ記憶部１７に空きがあるか否かだけをリトライデータの記憶場所の選択の判断基準にするようにしてもよい。
【００５９】
上記実施形態においては、バンド単位にリトライデータを記憶するようにしたが、他の単位、例えばページ単位にリトライデータを記憶するようにしてもよい。ページ単位にリトライデータを記憶するとペーパジャム後のリトライにおいてページ先頭から印刷が開始される。また、バンド単位にリトライデータを記憶するとリトライデータとして記憶するデータ量をより少なくすることができる。
【図面の簡単な説明】
【００６０】
【図１】本発明の一実施形態における複合機の機能的構成を示すブロック図である。
【図２】本発明の一実施形態におけるリトライデータ保持場所テーブルの一例を示す図である。
【図３】本発明の一実施形態におけるリトライデータの保持場所決定処理の流れを示すフローチャートである。
【図４】本発明の一実施形態における画像形成のリトライ処理の流れを示すフローチャートである。
【符号の説明】
【００６１】
１  複合機（画像形成装置）
１１  画像データ転送制御部（リトライ転送手段）
１２  ビデオ記憶部（ビデオ記憶手段）
１４  画像データ取得部（データ取得手段）
１５  画像データ記憶部（画像データ記憶手段）
１６  リトライデータ転送制御部（転送手段）
１７  リトライデータ記憶部（リトライデータ記憶手段）
１９  リトライデータ保持場所決定部（リトライデータ保持場所決定手段）
２０  空き容量監視部（空き容量監視手段）
２１  リトライデータ保持場所記憶部（リトライデータ保持場所記憶手段）
【図１】
2006263966.tif 000003
【図２】
2006263966.tif 000004
【図３】
2006263966.tif 000005
【図４】
2006263966.tif 000006